(57)【要約】【課題】縦配置に収納された冊子を、ＰＯＰ部分などに当接しても容易に取り出すことができ、また、ＰＯＰ部を起立させる操作を容易に行うことができる梱包用兼陳列用箱を得る。【解決手段】天板１０に差込みフラップ１１と係止舌片１３が連接されている。天板１０は、右折込み線１７、切断線１６と左折込み線１８によって分離されたＰＯＰ部分１４を有し、また、後天板交差辺８１に接する切り込み口３１を有する。さらに、右側ミシン目切断線４１、下ミシン目切断線２１、左側ミシン目切断線５１を有する。陳列時に、上記３のミシン目切断線を切断することにより、箱の一部を開封し、かつ、右折込み線と前記左折込み線を折込んで、切込み口に係止舌片を挿入し、ＰＯＰ部分を立ち上げる。【選択図】図１
2010052776.tif 000002
【特許請求の範囲】
【請求項１】
物品を収納するための梱包用兼陳列用箱であって、
梱包時に箱は直方体であり、
前記直方体の天板（１０）は、後板（３０）の上端辺である後天板交差辺（８１）を介在して前記後板（３０）に連接され、
前記天板（１０）に、前記天板（１０）と前板（２０）の交差辺である前天板交差辺（８２）を介在して差込みフラップ（１１）が連接され、
前記差込フラップに、前記差込みフラップの一の辺であって、前記前天板交差辺（８２）に対向する対向辺（１２）を介在して係止舌片（１３）が連接されており、
前記係止舌片（１３）の左右方向長さ（Ｌ１３）は、前記後板（３０）の左右方向長さ（Ｌ３０）よりも短く、
前記天板は、前記後天板交差辺（８１）と前天板交差辺（８２）の中間線上に形成された、右折込み線（１７）と左折込み線（１８）を有し、前記右折込み線の左端（１７１）と前記左折込み線の右端（１８２）は切断線（１６）で結ばれていて、
前記天板（１０）は、前記右折込み線（１７）、前記切断線（１６）と前記左折込み線（１８）によって、前記前天板交差辺（８２）に当接する部分であるＰＯＰ部分（１４）と前記後天板交差辺（８１）に当接する部分である裏面支持部分（１５）に分割され、
前記係止舌片（１３）を挿通可能であって、２本の長手辺（３１１、３１２）を有する長方形状の切込み口（３１）を有し、前記切り込み口（３１）は、前記後天板交差辺（８１）がいずれかの長手辺に重なるか又は２本の長手辺の間に位置する配置であり、
右側板（４０）に右側ミシン目切断線（４１）、前記前板（２０）に下ミシン目切断線（２１）、左側板（５０）に左側ミシン目切断線（５１）形成し、
前記下ミシン目切断線（２１）は、直方体の高さをＨとし、底板と前板の交差辺である前底板交差辺（８９）から上方への距離が１／５Ｈ以上１／２Ｈ以下にある前板開封領域（２４）内に位置し、
前記右側ミシン目切断線（４１）は、後板と右側板の交差辺の上端点である後右側板交差辺上端点（８６）と前記下ミシン目切断線（２１）の右端点（２１１）を結び、
前記左側ミシン目切断線（５１）は、後板と左側板の交差辺の上端点である後左側板交差辺上端点（８８）と前記下ミシン目切断線（２１）の左端点（２１２）を結んでおり、
前記差込みフラップと前記係止舌片を前記前板に当接状態に固定することにより前記天板を固定して、梱包するものであり、
陳列時に、前記右側ミシン目切断線（４１）、前記下ミシン目切断線（２１）と前記左側ミシン目切断線（５１）を切断することにより、前板の一部、右側面の一部と左側面の一部を開封し、かつ、
前記差込みフラップと前記係止舌片の前記前板との当接を開放し、前記右折込み線と前記左折込み線及び前天板交差辺を折込んで、前記切込み口に前記係止舌片を挿入し、ＰＯＰ部分を立ち上げる梱包用兼陳列用箱。
【発明の詳細な説明】
【技術分野】
【０００１】
本発明は物品の梱包用兼陳列用箱に関する。
【背景技術】
【０００２】
フリー冊子、雑誌、カタログなどの印刷物は消費者が自由に入手できるように店頭などに陳列される。陳列方法として、梱包用の箱を開封しそのまま陳列に供される方法がある。
【０００３】
従来の梱包用兼陳列用箱は、上面形成片に見出し形成部を含み、陳列前に箱を開封するとともに見出し形成部を立ち上げるようにしている。図９は従来の梱包用兼陳列用箱の梱包時形状の斜視図である。図１０は従来の梱包用兼陳列用箱の陳列時形状の斜視図である。
【０００４】
上面形成片１１１は、切取り線１２０と見出し用折り筋１２２で区画された見出し形成部１２１を含んでいる。上面形成片１１１に一方側面外片１１４ｂが連接されている。開封時に、長さ方向側面１１４に接着された一方側面外片１１４ｂを剥がす。その後、上面形成片１１１を見出し用折り筋１２２で折り曲げ、一方側面外片１１４ｂを幅方向側面１１３及び幅方向側面１１５と長さ方向側面１１６の間に差し込むことにより見出し形成部１２１を起立させる。
【０００５】
【特許文献１】登録実用新案公報第３１３４２０４号公報
【発明の開示】
【発明が解決しようとする課題】
【０００６】
冊子は陳列用の箱の中で縦配置に置かれることが好ましい。箱中の最後の一冊まで人目を引く配置だからである。
【０００７】
一方、上記した従来の梱包用兼陳列用箱は冊子の縦配置に適さない。すなわち、縦配置の冊子を取り出すためには、見出し形成片を超える高さまで、冊子の垂直移動が必要となる。また、縦配置された冊子が箱に収められた状態では、冊子が邪魔をするので、一方側面外片１１４ｂの差込みなど見出し形成部を起立させる操作を行うことができない。
【０００８】
そこで、本発明は縦配置に収納された冊子を、見出し部分（以下ＰＯＰ部分という）に当接しても極めて容易に取り出すことができる梱包用兼陳列用箱を得ることを課題とする。
【０００９】
また、本発明は物品が梱包用兼陳列用箱の上端部に至るまで収納されていても、ＰＯＰ部を起立させる操作を容易に行うことができる梱包用兼陳列用箱を得ることを課題とする。
【００１０】
本発明のその他の課題は、本発明の説明により明らかになる。
【課題を解決するための手段】
【００１１】
なお、理解を容易にするために、本発明の実施態様に対応する符号を付けて説明するが、本発明は当該実施態様に限定されるものではない。
【００１２】
本発明の一の態様は、物品を収納するための梱包用兼陳列用箱であって、
梱包時に箱は直方体であり、
前記直方体の天板（１０）は、後板（３０）の上端辺である後天板交差辺（８１）を介在して前記後板（３０）に連接され、
前記天板（１０）に、前記天板（１０）と前板（２０）の交差辺である前天板交差辺（８２）を介在して差込みフラップ（１１）が連接され、
前記差込フラップに、前記差込みフラップの一の辺であって、前記前天板交差辺（８２）に対向する対向辺（１２）を介在して係止舌片（１３）が連接されており、
前記係止舌片（１３）の左右方向長さ（Ｌ１３）は、前記後板（３０）の左右方向長さ（Ｌ３０）よりも短く、
前記天板は、前記後天板交差辺（８１）と前天板交差辺（８２）の中間線上に形成された、右折込み線（１７）と左折込み線（１８）を有し、前記右折込み線の左端（１７１）と前記左折込み線の右端（１８２）は切断線（１６）で結ばれていて、
前記天板（１０）は、前記右折込み線（１７）、前記切断線（１６）と前記左折込み線（１８）によって、前記前天板交差辺（８２）に当接する部分であるＰＯＰ部分（１４）と前記後天板交差辺（８１）に当接する部分である裏面支持部分（１５）に分割され、
前記係止舌片（１３）を挿通可能であって、２本の長手辺（３１１、３１２）を有する長方形状の切込み口（３１）を有し、前記切り込み口（３１）は、前記後天板交差辺（８１）がいずれかの長手辺に重なるか又は２本の長手辺の間に位置する配置であり、
右側板（４０）に右側ミシン目切断線（４１）、前記前板（２０）に下ミシン目切断線（２１）、左側板（５０）に左側ミシン目切断線（５１）形成し、
前記下ミシン目切断線（２１）は、直方体の高さをＨとし、底板と前板の交差辺である前底板交差辺（８９）から上方への距離が１／５Ｈ以上１／２Ｈ以下にある前板開封領域（２４）内に位置し、
前記右側ミシン目切断線（４１）は、後板と右側板の交差辺の上端点である後右側板交差辺上端点（８６）と前記下ミシン目切断線（２１）の右端点（２１１）を結び、
前記左側ミシン目切断線（５１）は、後板と左側板の交差辺の上端点である後左側板交差辺上端点（８８）と前記下ミシン目切断線（２１）の左端点（２１２）を結んでおり、
前記差込みフラップと前記係止舌片を前記前板に当接状態に固定することにより前記天板を固定して、梱包するものであり、
陳列時に、前記右側ミシン目切断線（４１）、前記下ミシン目切断線（２１）と前記左側ミシン目切断線（５１）を切断することにより、前板の一部、右側面の一部と左側面の一部を開封し、かつ、
前記差込みフラップと前記係止舌片の前記前板との当接を開放し、前記右折込み線と前記左折込み線及び前天板交差辺を折込んで、前記切込み口に前記係止舌片を挿入し、ＰＯＰ部分を立ち上げる梱包用兼陳列用箱である。
【発明の効果】
【００１３】
本発明にかかる梱包用兼陳列用箱は、前板の上部が左端から右端まで切り取られ大きな開口部となることなどから、特に縦配置で収納された冊子を極めて容易に取り出すことができる。また、ＰＯＰ部分を起立させる組み立ては、物品が上端まで収納されていても容易な操作となる。さらに、ＰＯＰ部分は冊子が衝突すれば、９０度回転して冊子の取出し空間から逃げるので障害が回避され、上述の大きな開口部とあいまって冊子の取り出しが容易となる。また、回転後ＰＯＰ部分は起立状態への復帰が容易である。
【発明を実施するための最良の形態】
【００１４】
以下、図面を参照して本発明の実施例にかかる梱包用兼陳列用箱をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００１５】
図１は梱包時の梱包用兼陳列用箱１の斜視図であり、図２は陳列準備中の梱包用兼陳列用箱の斜視図であり、図３は陳列時の梱包用兼陳列用箱の斜視図である。図４は梱包用兼陳列用箱の展開図である。
【００１６】
梱包時の梱包用兼陳列用箱１は直方体であり、天板１０、前板２０、後板３０、右側板４０、左側板５０と底板からなる。底板は第一底板６１と第二底板６２からなっている。
【００１７】
天板１０と後板３０は、後天板交差辺８１を間にして連接されている。後天板交差辺８１は後板３０の上端辺であり、また、後板３０と天板１０の境界に位置する辺である。
【００１８】
天板１０と差込みフラップ１１は、前天板交差辺８２を境にして連接されている。前天板交差辺８２は、天板１０と前板２０の交差辺である。
【００１９】
差込フラップ１１は梱包時にあって天板を固定する働きをするものであり、また、ＰＯＰ部分、裏面支持部分と差込フラップで三角柱を形成し、ＰＯＰ部分に強度を付与する働きをするものである。
【００２０】
差込フラップ１１に係止舌片１３が連接されている。差込みフラップの平面形状は長方形であり、差込みフラップの一の辺である前天板交差辺８２と対向する対向辺１２を持っている。差込フラップ１１に、対向辺１２の一部分を境にして、係止舌片１３が連接されている。図４中に矢印Ｌ１３で示した係止舌片１３の左右方向長さは、後板３０の左右方向長さ（矢印Ｌ３０で示す）よりも短い。後板３０の左右方向長さは、直方体である梱包用兼陳列用箱の左右方向長さに等しい。
【００２１】
係止舌片１３は、差込みフラップ１１の長辺方向中央部に連接されているので、対向辺１２の右側部分である一定長さ範囲と、左側部分である一定長さ範囲は遊離状態にある。
【００２２】
天板は右折込み線１７と左折込み線１８を有している。右折込み線１７（及び左折込み線１８）は、後天板交差辺８１と前天板交差辺８２の中間線上に形成されている。そして、右折込み線の左端１７１と左折込み線の右端１８２は切断線１６で結ばれている。
【００２３】
右折込み線１７、切断線１６と左折込み線１８を結ぶ一本の線により、天板１０は２分割されている。一の分割部分は前天板交差辺８２に当接する部分であるＰＯＰ部分１４である。切断線１６を設けることにより、そして切断線１６を後天板交差辺８１に近づけることにより、ＰＯＰ部分の面積が増大し、印刷物の広告面を増大させることができる。他の分割部分は後天板交差辺８１に当接する部分である裏面支持部分１５である。
【００２４】
後天板交差辺８１に接して切込み口３１を有する。切込み口３１は係止舌片１３を挿通するものである。通常、梱包用兼陳列用箱は一枚のダンボール紙または厚紙を切り起こして製造される。したがって、切込み口の短辺は、用紙の厚さに１ｍｍ程度を加算した長さ（例えば４ｍｍ）にすればよい。切込み口は扁平な長方形形状であり、前記長方形の長手下辺３１１と長手上辺３１２は後天板交差辺８１に平行であって、かつ、後天板交差辺８１が長方形の長手下辺３１１と長手上辺３１２の２の辺に挟まれるか、又は後天板交差辺８１が長方形のいずれかの長手辺に重なる位置に配置されている。
【００２５】
図５は、切込み口３１と後天板交差辺８１の位置関係を説明する説明図である。図５（ａ）に示すように切込み口は長手下辺３１１が後天板交差辺８１と重なる位置であってもよい。また、図５（ｃ）に示すように切込み口は長手上辺３１２が後天板交差辺８１と重なる位置であってもよい。さらに、図５（ｂ）に示すように、切込み口は長手下辺３１１と長手上辺３１２の間に、後天板交差辺８１が位置する位置であってもよい。
【００２６】
後に説明するＰＯＰ部分が立ち上がった状態で、図５（ａ）、（ｂ）、（ｃ）のどの配置であってもＰＯＰ部分は容易に後ろに倒れるので、冊子の取り出しが簡単になる。
【００２７】
一層好ましい配置は、図５（ｂ）に示すように、切込み口は長手方向下辺３１１と長手方向上辺３１２の中間線よりも、後天板交差辺８１が上方に位置する配置であり、さらにより一層好ましい配置は、図５（ａ）に示した配置である。ダンボール箱の強度低下を防止できるからである。
【００２８】
梱包用兼陳列用箱は、右側板４０に右側ミシン目切断線４１、前板２０に下ミシン目切断線２１を、左側板５０に左側ミシン目切断線５１を形成している。
【００２９】
図６は、下ミシン目切断線２１が配置される領域である前板開封領域２４の説明図である。直方体の高さをＨとし、底板と前板の交差辺である前底板交差辺８９から上方への距離が１／５Ｈ以上、１／２Ｈ以下である領域を前板開封領域２４と定める。下ミシン目切断線２１は前板開封領域２４内に配置する。
【００３０】
また、上ミシン目切断線２２を設けている。下ミシン目切断線２１と上ミシン目切断線２１の間隔は任意に定めればよいが、好ましくは１０ｍｍ以上１８ｍｍ以内である。ミシン目に従って開封するときに、前板が帯状に切断されるので開封作業が容易となる。
【００３１】
また、下ミシン目切断線２１と上ミシン目切断線２１を直線で結ぶ指掛け切断線２３を設けている。開封作業時に指掛り位置とするためである。
【００３２】
右側ミシン目切断線４１は、後板と右側板の交差辺の上端点である後右側板交差辺上端点８６と前記下ミシン目切断線２１の右端２１１を結んでいる。
【００３３】
左側ミシン目切断線５１は、後板と左側板の交差辺の上端点である後左側板交差辺上端点８８と下ミシン目切断線２１の左端点２１２を結んでいる。右側ミシン目切断線４１と左側ミシン目切断線５１は連続する線であれば、直線、曲線を問わないが、加工容易などから直線であることが好ましい。
【００３４】
下ミシン目切断線２１、右側ミシン目切断線４１、左側ミシン目切断線５１などのミシン目切断線は、例えば、カット１５ｍｍアンカット５ｍｍを連続した線である。
【００３５】
上記のように下ミシン目切断線２１、右側ミシン目切断線４１と左側ミシン目切断線５１を設けたので、開封時に直方体の前板の上部分が大きく取り除かれ、物品の取り出しが容易となる。特に、物品が縦配置された冊子である場合に、この取り出し容易の効果が大きくなる。
【００３６】
本実施例にかかる梱包用兼陳列用箱は、底面に右底板補助フラップ６３と左底板補助フラップ６４を備え、天板に右天板補助フラップ４２と左天板補助フラップ４３を備えている。このようにして、特に梱包中に負荷される荷重に備えている。また、右側板４０と後板３０を固着するための糊しろ６５を備えている。
【００３７】
梱包用兼陳列用箱は、物品を入れた後に、差込みフラップ１１と係止舌片１３を前板に接する態様で箱の中に差し込み固定することにより、差込みフラップ１１に連接されている天板を固定し梱包する。差込みフラップ１１と係止舌片１３を前板の表面に接する態様で固定してもよい。固定には、接着、粘着テープなど公知の固定手段を使用できる。
【００３８】
次に、陳列準備作業を説明する。図７は、ＰＯＰ部分を立ち上げた状態の断面説明図である。
【００３９】
差込みフラップ１１（および係止舌片１３）と前板１３との固定を開放し、天板の前天板交差辺を持ち上げる。
【００４０】
指掛け切断線２３を指掛りとして、下ミシン目切断線２１と上ミシン目切断線２２を切断し、前板２０切断する。さらに、右側ミシン目切断線４１と左側ミシン目切断線５１を切断する。これにより、直方体は、上面が開封され、同時に前面の上部分が開封される。
【００４１】
天板１０を右折込み線１７、左折込み線１８に従い山折りして、ＰＯＰ部分１４を折り立てる。当該山折りにより係止舌片１３と切込み口３１が接近する。係止舌片１３を、差込みフラップ１１の対向辺１２が、裏面支持部分の裏面に当接し、それ以上に挿入できない位置まで挿入する。これにより、後天板交差辺８１を回転軸としてＰＯＰ部分１４が回転可能な状態で起立する。当該挿入作業にあって、切込み口は、後天板交差辺に当接する位置にあり、箱内の物品や冊子に隠れることが無いので、挿入作業を容易に行うことができる。
【００４２】
冊子を縦配置した場合には、ＰＯＰ起立状態でフラップ１１と冊子７０の後方上端が接触しているので、冊子７０の左右方向への移動や倒れを防止することができる。
【００４３】
陳列状態の梱包用兼陳列用箱から、冊子を取り出す作業、および動作を説明する。図８はＰＯＰ部分が後方に９０度回転した状態の断面説明図である
図３を参照して、縦配置に収納された冊子７０を上方に移動させて抜き出す。このとき、冊子の後方上端部に覆い被さっている差込みフラップ１１は冊子から力を受ける。
【００４４】
冊子からの力により、ＰＯＰ部分は後方に回転し、箱の直上領域を空ける。障害物が無くなるので、冊子は容易に取り出せる。また回転は軽い力で引き起こされるので、冊子取出しに過剰な力が要求されることはない。
【００４５】
一方、後方に回転したＰＯＰ部分は、係止舌片１３が後板３０に当接して９０度の角度で回転が止まる。
【００４６】
その後は、ＰＯＰ部分を手に掛けて起こせば（復帰作業）、当初の陳列状態に戻る。あたかも首振り人形のような動作で、９０度の角度で回転が止まるので、人の趣味感に訴えることが出来、直後の復帰作業を期待することができる。また、たとえ９０度に回転した状態で取り残されても、ＰＯＰ部分はやはり人目をひき、ＰＯＰ効果を発揮することができる。
【図面の簡単な説明】
【００４７】
【図１】梱包時の梱包用兼陳列用箱１の斜視図である。
【図２】陳列準備中の梱包用兼陳列用箱の斜視図である。
【図３】陳列時の梱包用兼陳列用箱の斜視図である。
【図４】梱包用兼陳列用箱の展開図である。
【図５】切込み口３１と後天板交差辺８１の位置関係を説明する説明図である。図５（ａ）は長手方向下辺３１１が後天板交差辺８１と重なる位置にある切込み口の位置関係を示し、図５（ｂ）は長手方向下辺３１１と長手方向上辺３１２の間に、後天板交差辺８１が位置する切込み口の位置関係を示し、図５（ｃ）は長手方向上辺３１２が後天板交差辺８１と重なる位置にある切込み口に位置関係を示している。
【図６】下ミシン目切断線２１が配置される領域である前板開封領域２４の説明図である。
【図７】ＰＯＰ部分を立ち上げた状態の断面説明図である。
【図８】ＰＯＰ部分が後方に９０度回転した状態の断面説明図である。
【図９】従来の梱包用兼陳列用箱の梱包時の形状の斜視図である。
【図１０】従来の梱包用兼陳列用箱の陳列時の形状の斜視図である。
【符号の説明】
【００４８】
１０  天板
１１  差込みフラップ
１２  対向辺
１３  係止舌片
１４  ＰＯＰ部分
１５  裏面支持部分
１６  切断線
１７  右折込み線
１８  左折込み線
２０  前板
２１  下ミシン目切断線
２４  前板開封領域
３０  後板
３１  切込み口
４０  右側板
４１  右側ミシン目切断線
５０  左側板
５１  左側ミシン目切断線
７０  冊子
８１  後天板交差辺
８２  前天板交差辺
８９  前底板交差辺
【図１】
2010052776.tif 000003
【図２】
2010052776.tif 000004
【図３】
2010052776.tif 000005
【図４】
2010052776.tif 000006
【図５】
2010052776.tif 000007
【図６】
2010052776.tif 000008
【図７】
2010052776.tif 000009
【図８】
2010052776.tif 000010
【図９】
2010052776.tif 000011
【図１０】
2010052776.tif 000012